(57)【特許請求の範囲】
【請求項１】
測定者の上腕を挿入して血管を加圧するための空気袋と、
前記空気袋内に空気を供給する第１ポンプと第２ポンプと、
前記第１ポンプを駆動する第１駆動部と、
前記第２ポンプを駆動する第２駆動部と、
前記第１駆動部に指令を与えて前記第１ポンプの駆動を制御し、前記第２駆動部に指令を与えて前記第２ポンプの駆動を制御し、前記血管の脈波を検出する際には前記第１ポンプを全出力で回転駆動させ、前記第２ポンプを前記第１ポンプの前記全出力より低い前記第２ポンプの全出力の６０％〜８０％で駆動させる制御部と
を有することを特徴とする電子血圧計。
【請求項２】
前記制御部は、前記血管の脈波を検出する際には前記第２ポンプを全出力の７０％で駆動させることを特徴とする請求項１に記載の電子血圧計。
【請求項３】
前記制御部は、前記血管の脈波を検出する前であって前記空気袋内に空気を送って加圧を開始してから４０ｍｍＨｇの圧力に達するまでは、前記第１ポンプを全出力で駆動させるとともに、前記第２ポンプも全出力で駆動させることを特徴とする請求項１または２に記載の電子血圧計。
【請求項４】
前記制御部は、前記空気袋内の空気の圧力が停止目標圧力に接近した時に、前記第１駆動部に指令を与えて前記第１ポンプの駆動を停止し、前記第２駆動部に指令を与えて前記第２ポンプを全出力の７０％で駆動させることを特徴とする請求項３に記載の電子血圧計。
【請求項５】
前記空気袋内の空気の圧力が前記停止目標圧力に到達後、コロトコフ音（Ｋ音）を検出して最高血圧を検出し、前記コロトコフ音（Ｋ音）の消失により最低血圧を検出する
ためのマイクロフォンを有することを特徴とする請求項４に記載の電子血圧計。
【請求項６】
前記空気袋を保持する硬質の筒体を有する腕帯部と、前記第１ポンプと前記第２ポンプを有する血圧計本体と、を有し、
前記腕帯部と前記血圧計本体とは別体に形成されていることを特徴とする請求項１〜請求項５のいずれか１つの項に記載の電子血圧計。
【発明の詳細な説明】
【技術分野】
【０００１】
本発明は、電子血圧計に関し、特に空気袋に空気を供給する２つのポンプを有する電子血圧計に関するものである。
【背景技術】
【０００２】
近年、医療機関で行われている高血圧治療向けの血圧測定において、白衣性高血圧症による擬似高血圧が問題にされている。この擬似高血圧症の原因としては、病院内での医師の前での緊張、不安等の精神面での不安定が考えられている。これに対して、精神的に安定している家庭にて一人で測定した血圧値に注目が集まっている。このため、この家庭血圧測定に用いる一人で測定するタイプの電子血圧計が注目されている。
このタイプの血圧計で測定上問題となるのが、腕帯部の腕への装着の仕方である。腕帯部内の空気袋の位置が上腕に対して適当でない場合や、上腕に対して巻き付け強さが適当でない場合に、腕帯部の空気袋の圧迫が上腕に正しく行われず、血圧が高く測定される場合がある。近年、これを解決するために、筒状の腕帯部に腕を挿入するだけで、自動的に腕帯部の空気袋を腕の正しい位置に配置し、正しい巻き付け強さにて血圧測定を行うことができるようにした血圧計本体と腕帯部を一体とした電子血圧計（以降、アームインタイプと呼ぶ）が開発されている（特許文献１を参照）。
【０００３】
しかし、使用者が上記アームインタイプの血圧計を使用すると、腕を挿入する腕帯部が血圧計本体と一体となっているので、血圧計本体の位置が測定者から離れていた場合には、測定者は前かがみ状態での測定となり易い。このため、測定者の腹部が圧迫されて腹圧が上昇し、その結果、血圧が上昇する現象が見られる場合がある。この血圧上昇を、新たな擬似高血圧症の発生として、指摘されている。
そこで、このような擬似高血圧症の発生という不都合に対応するために、血圧計本体から腕帯部が分離できて、血圧計本体の設置場所が測定者から離れていても、測定者が座位にて背を伸ばした状態で腹圧の掛からない測定をすることが可能なタイプ（以降、スル−インタイプと呼ぶ）の電子血圧計が開発されている。このスルーインタイプの電子血圧計では、腕帯部内の空気袋に上腕を挿入して、その空気袋内に２つのポンプを用いて空気を供給し、そして空気の供給を停止してバルブを緩めながらマイクロフォンを用いて血管の脈波をマイクロフォンで取って最高血圧と最低血圧を検出している。
【先行技術文献】
【特許文献】
【０００４】
【特許文献１】特開２００５―２３７４２７号公報
【発明の概要】
【発明が解決しようとする課題】
【０００５】
上述したスル−インタイプの電子血圧計では、空気袋内に必要な空気容量を供給するために、２つのポンプが必要である。しかも、空気袋内には５０秒以下で空気を供給して血圧を測定するためには、２つのポンプが必要である。
ところが、２つのポンプを同じ回転数で駆動しようとしても、２つのポンプの製造時のバラツキから２つのポンプ間ではわずかな回転数の差が生じることがある。このようにわずかな回転数の差により、２つのポンプ間ではビート（うなり）であるポンプ脈動が発生する。従って、２つのポンプを駆動して空気袋内に空気を供給して上腕の血管を加圧しようとすると、２つのポンプの間でポンプ脈動が発生して、このポンプ脈動が血管の脈波に重畳してしまい、必要とする正確な血管の脈波が得られず、正確な血圧測定ができないおそれがある。
そこで、上記課題を解消するために、本発明は、２つのポンプを駆動して空気袋内に空気を供給して上腕の血管を加圧しても、ポンプの脈動が血管の脈波に重畳することがなく、正確な血管の脈波を得ることができる電子血圧計を提供することを目的とする。
【課題を解決するための手段】
【０００６】
本発明の電子血圧計は、測定者の上腕を挿入して血管を加圧するための空気袋と、前記空気袋内に空気を供給する第１ポンプと第２ポンプと、前記第１ポンプを駆動する第１駆動部と、前記第２ポンプを駆動する第２駆動部と、前記第１駆動部に指令を与えて前記第１ポンプの駆動を制御し、前記第２駆動部に指令を与えて前記第２ポンプの駆動を制御し、前記血管の脈波を検出する際には前記第１ポンプを全出力で回転駆動させ、前記第２ポンプを前記第１ポンプの全出力よりも低い出力で駆動させる制御部とを有することを特徴とする電子血圧計。上記構成により、２つのポンプを駆動して空気袋内に空気を供給して上腕の血管を加圧しても、ポンプの脈動が血管の脈波に重畳することがなく、正確な血管の脈波を得ることができる。
【０００７】
本発明の電子血圧計では、前記制御部は、前記血管の脈波を検出する際には前記第２ポンプを全出力の６０％〜８０％で駆動させることを特徴とする。上記構成により、２つのポンプを駆動して空気袋内に空気を供給して上腕の血管を加圧しても、ポンプの脈動が血管の脈波に重畳することがない。もし、第２ポンプ４５の出力が６０％未満であると、ポンプが低速回転になって、電池をかえって消耗させることになるばかりでなく、空気袋に空気を十分に送れなくなり空気袋は測定者の被測定面に必要な加圧ができなくなおそれがあるので好ましくない。また、第２ポンプの出力が８０％を超えると、第１ポンプと第２ポンプの間でビートが発生するおそれがあるので好ましくはない。
本発明の電子血圧計では、前記制御部は、前記血管の脈波を検出する際には前記第２ポンプを全出力の７０％で駆動させることを特徴とする。上記構成により、２つのポンプを駆動して空気袋内に空気を供給して上腕の血管を加圧しても、ポンプの脈動が血管の脈波に重畳することがない。
【０００８】
本発明の電子血圧計では、前記制御部は、前記血管の脈波を検出する前であって前記空気袋内に空気を送って加圧を開始してから４０ｍｍＨｇの圧力に達するまでは、前記第１ポンプを全出力で駆動させるとともに、前記第２ポンプも全出力で駆動させることを特徴とする。上記構成により、第１ポンプと第２ポンプともに全出力で駆動することで、空気袋を加圧開始する際の立ち上がり時間を短縮できる。
本発明の電子血圧計では、前記制御部は、前記空気袋内の空気の圧力が停止目標圧力に接近した時に、前記第１駆動部に指令を与えて前記第１ポンプの駆動を停止し、前記第２駆動部に指令を与えて前記第２ポンプを全出力の７０％で駆動させることを特徴とする。上記構成により、第１ポンプと第２ポンプを一気に停止すると、圧力センサ付近と空気袋の内圧との圧力差から、空気袋の内圧が大きく低下するのを避けて、空気袋の圧力の急激な低下を起こすことなく、停止目標圧力にスムーズに達することができる。
【０００９】
本発明の電子血圧計では、前記前記空気袋内の空気の圧力が前記停止目標圧力に到達後、コロトコフ音（Ｋ音）を検出して最高血圧を検出し、前記コロトコフ音（Ｋ音）の消失により最低血圧を検出するためのマイクロフォンを有することを特徴とする。上記構成により、マイクロフォンを用いて、コロトコフ音（Ｋ音）の検出と消失を用いて確実に最高血圧と最低血圧を検出できる。
本発明の電子血圧計では、前記空気袋を保持する硬質の筒体を有する腕帯部と、前記第１ポンプと前記第２ポンプを有する血圧計本体とを有し、前記腕帯部と前記血圧計本体とは別体に形成されていることを特徴とする。
上記構成により、血圧計本体の設置場所が測定者から離れていても、測定者が座位にて背を伸ばした状態で腹圧の掛からない測定をすることができる。すなわち、腕帯を持ち上げて腕を入れるだけの簡単な操作で、お腹を圧迫することなくリラックスした正しい測定姿勢をとることができる
なお、上記課題を達成するために、本発明は、測定者の上腕を挿入して血管を加圧するための空気袋と、前記空気袋内に空気を供給する第１ポンプと第２ポンプと、前記第１ポンプを駆動する第１駆動部と、前記第２ポンプを駆動する第２駆動部と、前記第１駆動部に指令を与えて前記第１ポンプの駆動を制御し、前記第２駆動部に指令を与えて前記第２ポンプの駆動を制御し、前記血管の脈波を検出する際には、前記第１ポンプと前記第２ポンプとが互いに異なる出力で駆動され、異なる回転数で回転されるようにした制御部とを有する構成としてもよい。
すなわち、上記したように、電子血圧計を駆動する第１のポンプと第２のポンプを備える場合には、少なくともそのうちのひとつである第１のポンプを全出力で駆動することが効率上好ましいことは当然であるが、その点だけを回避して、いずれのポンプも「全出力」で駆動しないということは、本発明の思想を形式的に避けること（迂回発明）に他ならない。したがって、「前記血管の脈波を検出する際には前記第２ポンプを前記第１ポンプの出力よりも低い出力で駆動させる制御部」を備える場合にも、本発明の範囲に含まれることは当然である。
【発明の効果】
【００１０】
本発明によれば、２つのポンプを駆動して空気袋内に空気を供給して上腕の血管を加圧しても、正確な血管の脈波を得ることができるとともに、ようにして、腕帯を持ち上げて腕を入れるだけの簡単な操作で、お腹を圧迫することなくリラックスした正しい測定姿勢をとることができる電子血圧計を提供することができる。
【図面の簡単な説明】
【００１１】
【図１】本発明の電子血圧計の好ましい実施形態を前側から示す斜視図である。
【図２】電子血圧計を後側から示す斜視図である。
【図３】図３（Ａ）は、電子血圧計の腕帯部と血圧計本体を分離した状態を示す斜視図であり、図３（Ｂ）は、腕帯部に測定者の上腕を挿入した状態を示す斜視図である。
【図４】腕帯部の構造例を示す斜視図である。
【図５】腕帯部の内部構造例を示す断面図である。
【図６】図６（Ａ）は、外布と空気袋のユニットＵＴを示す斜視図であり、図６（Ｂ）は、このユニットＵＴを別の方向から見た斜視図であり、図６（Ｃ）は、ユニットＵＴを折りたたんだ状態を示す斜視図である。
【図７】図７（Ａ）は、空気袋とマイクを示す斜視図であり、図７（Ｂ）は、空気袋と外布と内布カバーと、マイクを示す図である。
【図８】空気袋を形成するシート例を示す図である。
【図９】空気袋を形成する工程例を示す図である。
【図１０】空気袋の内面が測定者の被測定面を当接している様子を示す図である。
【図１１】電子血圧計のブロック構成図である。
【図１２】２つのポンプの回転数のわずかな差により生じるビート（うなり）であるポンプ脈動が発生した例を示す図である。
【図１３】ポンプの脈動が，本来必要とする血管の脈波に対して重畳している波形例を示す図である。
【図１４】第１ポンプと第２ポンプを、第１駆動部と第２駆動部により、それぞれ別々に駆動制御する工程を示すフロー図である。
【図１５】空気袋内の圧力と時間の関係を示すカフ内圧曲線ＫＣを示す図である。
【図１６】空気袋の内圧と血管の扁平状態と、検出される脈波の大きさの関係比較を示す図である。
【発明を実施するための形態】
【００１２】
以下に、本発明の好ましい実施形態を、図面を参照して詳しく説明する。
図１は、本発明の電子血圧計の好ましい実施形態を前側から示す斜視図であり、図２は、この電子血圧計を後側から示す斜視図である。図３（Ａ）は、電子血圧計の腕帯部と血圧計本体を分離した状態を示す斜視図であり、図３（Ｂ）は、腕帯部に測定者の上腕を挿入した状態を示す斜視図である。
図１〜図３に示す電子血圧計１は、自動電子血圧計ともいい、血圧計本体１０から腕帯部２を分離でき、血圧計本体１０の設置場所が測定者から離れていても、測定者は座位にて背を伸ばして腹圧の掛からない状態で測定が可能なタイプ（以下では、スル−インタイプと呼ぶ。）の電子血圧計である。この電子血圧計１は、血圧測定方式の一例としてリバロッチ・コロトコフ法が用いられ、コロトコフ音（Ｋ音）を検出して血圧測定を行う装置である。図１〜図３に示すように、電子血圧計１は、腕帯部２と、血圧計本体１０を備える。腕帯部２と血圧計本体１０は別体であり、図３に示すように腕帯部２が血圧計本体１０に固定できるとともに、腕帯部２が血圧計本体１０から分離可能に形成されている。
【００１３】
図３（Ｂ）に示すように、この電子血圧計１は、測定者の上腕Ｔを腕帯部２の挿入開口１１Ｐから、Ｄ１方向に沿って挿入して血圧を測定するスルーイン式の血圧計である。腕帯部２と血圧計本体１０とは有線（電気信号線）３により電気的に接続され、しかも腕帯部２と血圧計本体１０とがエアーの給排気路であるフレキシブルなチューブ４により接続されている。
【００１４】
まず、図１〜図３を参照して、血圧計本体１０の構造について説明する。
図１に示すように、血圧計本体１０は、ケーシング３０と表示部３１を有している。ケーシング３０は、例えばプラスチック製の薄型の内部空間を有する部材であり、傾斜した上面部３２と、前端面部３３と後端面部３４と、側面部３５，３６と、底面部４２を有している。
図１に示すように、ケーシング３０の上面部３２には、傾斜した表示部３１が配置されており、測定者が表示部３１の表示内容を容易に確認できるようになっている。ケーシング３０には、測定開始操作部の一例としての開始／停止ボタン３７と、メモリ呼び出し・時刻・アラーム設定ボタン３８と、モード選択ボタン３９と、窪み部分４０が設けられている。測定者が開始／停止ボタン３７を押すことで、血圧測定操作の開始あるいは停止をするためのボタンである。
【００１５】
図１において、時刻を設定する場合には、例えば、メモリ呼び出し・時刻・アラーム設定ボタン３８とモード選択ボタン３９を同時に長押しすることで、操作・設定・入力機能として作用させることにより、表示部３１には時刻設定画面が表示され、時刻設定画面に表示されている時刻は、メモリ呼び出し・時刻・アラーム設定ボタン３８で選択しながら設定することができる。
【００１６】
また、図１において、例えばメモリ呼び出し・時刻・アラーム設定ボタン３８を押すことにより、過去の例えば１００件の血圧測定記録を表示部３１に表示できる。表示部３１に表示される各件の最高血圧値、最低血圧値、脈拍数、日時が、メモリ呼び出し・時刻・アラーム設定ボタン３８を押す毎に順番に表示できる。モード選択ボタン３９は、例えば測定者が、最高血圧値と最低血圧値と脈拍値および脈圧をメモリ部６９に記憶しない場合だけ押すためのボタンである。
【００１７】
図３に示すように、ケーシング３０の上面部３２の中央部分には、Ｙ方向に沿って窪み部分４０が形成されている。窪み部分４０は、ケーシング３０の中央部分から後端面部３４にかけて形成されており、窪み部分４０は半円形状部分４０Ｐと長方形状部分４０Ｒを有し、この窪み部分４０の半円形状部分４０Ｐの中央部には、円形状の開始／停止ボタン３７が配置されている。窪み部分４０の長方形状部分４０Ｒには、溝部分４１が形成されている。
【００１８】
図３に示すように、ケーシング３０には、窪み部分４０の開始／停止ボタン３７と溝部分４１の付近にマグネット４０Ｍが配置されている。このマグネット４０Ｍは例えば長方形状の板状の永久磁石であるが、特に形状に限定されず、円形状あるいは楕円形状等であっても良い。また、マグネット４０Ｍは、ケーシング３０の外側に露出していても良い。
図３の窪み部分４０と前端面部３３の間には、表示部３１がＸ方向に沿って配置されている。この表示部３１は、例えば液晶表示装置を用いることができ、一例として図１に示すように、表示部３１は、最高血圧値、最低血圧値、脈拍数、脈圧、測定動作中の表示マーク、電池交換の表示マーク等の各種の測定値等を表示することができる。
【００１９】
図１と図２に示すように、測定者が血圧計本体１０を持ち易いようにするために、側面部３５，３６は曲面状に形成されている。メモリ呼び出し・時刻・アラーム設定ボタン３８とモード選択ボタン３９は、上面部３２の表示部３１の付近に配置されている。図１に示すように、ケーシング３０の内部には、スピーカ４３と、２つのポンプ（第１ポンプ）４４とポンプ（第２ポンプ）４５と、排気バルブ４６と、制御バルブ４７と、制御システムを含む回路基板４８と、メモリ部６９が配置されている。スピーカ４３は、音声によるガイドや音楽によるガイドを出力するために設けられている。
【００２０】
次に、図１〜図３と、図４と図５を参照して、腕帯部２の構造について説明する。
図４は、腕帯部２の構造例を示す斜視図である。図５は、腕帯部２の内部構造例を示す断面図である。
図３（Ｂ）に示すように、腕帯部２は、血圧測定時に測定者の上腕Ｔを挿入して圧迫するために、図１と図２に示すように上腕Ｔに差し込むことが可能な両端部が切れた略円筒状構造（筒状体）を有している。これにより、この腕帯部２は、通常の腕帯部と異なり測定者の上腕Ｔに対して巻き付ける必要が無く、左右のいずれの上腕Ｔへの挿入が可能で、測定者は容易に血圧測定ができる。
【００２１】
図４と図５に示すように、腕帯部２は、硬質の本体ケース１１と、空気袋（カフともいう）１４と、外布１６と、内布カバー１７Ｃを有している。
図４と図５に示す本体ケース１１は、例えばプラスチックにより形成され略円筒状構造を有しており、開口部１１Ｐと開口部１１Ｒを有している。図１に示すように、本体ケース１１は、Ｄ１方向に向かって先細りになるように形成され、開口部１１Ｐの直径Ｌ１は開口部１１Ｒの直径Ｌ２よりも大きい。本体ケース１１は、開口部１１Ｒ側に例えばほぼ扇型の把持部１１Ｈを有している。
例えば、図５に示す左腕の上腕ＴをＤ１方向に挿入孔７７に対して挿入し、あるいは逆方向に上腕Ｔを外す動作は、右手でこの把持部１１Ｈを持って行うことができる。また、右腕の上腕ＴをＤ１方向に挿入穴７７に挿入し、あるいは逆方向に上腕Ｔを外す動作は、左手でこの把持部１１Ｈを持って行うことができる。これにより、測定者は左右いずれの上腕Ｔに対しても、腕帯部２の装着動作あるいは取り外し動作を容易に行うことができる。
【００２２】
図１と図３に示すように、本体ケース１１の下側部分には、磁気吸着用部材の一例としての磁気吸着用のプレート部材２１０が設けられている。このプレート部材２１０は、例えば金属板であり、本体ケース１１の軸方向に沿って長くなるように形成され、血圧計本体１０のマグネット４０Ｍにより磁気的に吸着されるようになっている。このプレート部材２１０とマグネット４０Ｍは、腕帯部２を血圧計本体１０に固定（あるいは結合）するための固定手段２５０を構成している。
【００２３】
この固定手段２５０は、腕帯部２を血圧計本体１０から持ち上げる時に、血圧計本体１０と腕帯部２との結合力が解除される程度の力を有している。これにより、測定者が血圧測定をしない場合には腕帯部２が血圧計本体１０からは簡単転がってしまうことがなく、また測定者が血圧測定をしようとする場合には、腕帯部２が血圧計本体１０から取りづらくなるということが無くなる。これにより、腕帯部２が血圧計本体１０と別体になっていても、使用勝手が良い。
さらに好ましくは、このマグネット４０Ｍがプレート部材２１０を磁気的に吸着する力は、例えば血圧計本体１０の重量を超えるように設定することができる。これにより、測定者が電子血圧計１を運ぶ際に、測定者が血圧計本体１０を持たずに腕帯部２だけを持ち上げてしまった場合に、腕帯部２から血圧計本体１０だけが不用意に落下することを防止できる。
【００２４】
また、すでに説明したように、プレート部材２１０は、本体ケース１１の軸方向に沿って長くなるように形成されているので、腕帯部２は、血圧計本体１０に対して、磁気的吸引力を維持しながら、血圧計本体１１の窪み部分４０に沿ってＹ方向に移動可能である。これにより、測定者が腕帯部２を血圧計本体１０に対して、磁気的吸引力を維持しながらＹ方向に移動できるので、腕帯部２が表示部３１に被さった状態から腕帯部２を後退させて、表示部３１が腕帯部２により見えなくなってしまうという不都合を解消できる。このため、測定者は表示部３１の表示内容を容易に確認でき、使用勝手が向上する。
【００２５】
さらに、図１に示すように、腕帯部２が血圧計本体１０の窪み部分４０に配置されている収納状態では、開始／停止ボタン３７が腕帯部２の下部にある。つまり、腕帯部２が収納されている状態では、測定者は開始／停止ボタン３７を押せないようになっている。そして、測定者が腕帯部２を血圧計本体１０の窪み部分４０から磁気的吸着力に抗して取り外せば、開始／停止ボタン３７が露出するので、測定者はこの開始／停止ボタン３７を押すことができる。
【００２６】
図４と図５に示す空気袋１４は、例えば、塩化ビニル，ウレタン、合成ゴム，天然ゴム等の伸縮性を有する材質で形成されている。空気袋１４内へは、図１に示す血圧計本体１０内の破線で示す第１ポンプ４４と第２ポンプ４５の作動により、チューブ４を通じてエアーを供給されることにより膨張することで上腕Ｔを圧迫する。空気袋１４の内圧を一定速度で減圧するため、制御バルブ４７により空気袋１４内からエアーを徐々に外へ排気でき、測定を終了したときに、排気バルブ４６により空気袋１４内からエアーを外へ急排気できる。この空気袋１４の詳しい構造については、後で説明する。
【００２７】
図４と図５に示す外布１６は、空気袋１４の外側と本体ケース１１の内側の間に配置され、変形可能で伸縮性が無い布部材である外側部材に相当する。図４と図５に示す内布カバー１７Ｃは、カフリングともいい、空気袋１４の内側を覆うことができ、この内布カバー１７Ｃを配置することで、測定者は上腕をスムーズに挿入したり外したりできる。内布カバー１７Ｃは、上述した空気袋１４の内側に着脱可能に配置でき、伸縮性を有する布部分１７Ｄと２つのＯ−リング状のリング部材１７Ｆ、１７Ｇを有している。布部分１７Ｄは、長さ方向と円周方向にいずれにも伸縮可能なナイロン、スパンデックス等のすべり性のあるストレッチ素材で形成されている。
【００２８】
図６（Ａ）は、外布１６と空気袋１４のユニットＵＴを示す斜視図であり、図６（Ｂ）は、このユニットＵＴを別の方向から見た斜視図であり、図６（Ｃ）は、ユニットＵＴを折りたたんだ状態を示す斜視図である。
図６（Ａ）と図６（Ｂ）に示すように、ユニットＵＴは４つに折り曲げてほぼ正方形断面の開口部Ｇを形成することができる。ユニットＵＴは４つの折り曲げ部分２００を有していることにより、図６（Ｃ）に示すように簡単に折りたたむことができる構造である。
図７（Ａ）は、空気袋１４とマイクロフォンＭを示す斜視図であり、図７（Ｂ）は、空気袋１４と外布１６と内布カバー１７Ｃと、マイクロフォンＭを示す図である。図７に示すように、２つのマイクロフォンＭが空気袋１４に取り付けられ、２つのマイクロフォンＭは互いに向かい合っている。
【００２９】
ここで、空気袋１４の構造例を説明する。
図８は、空気袋１４を形成するためのシート例を示している。
図８に示すシートＳＷは、ほぼ長方形状の例えば透明のプラスチックシートであり、伸縮性を備えていない例えばほぼ長方形状のプラスチック製のシート、一例としてポリウレタンシートにより形成されている。このシートＳＷは、フィルタ付き接続管２２０、コードフック２２１、４つの折れ線部分２２２、接合部分２２３，２２４、２つのマイクロフォン保持部２２５を有している。
接続管２２０は、図１に示すチューブ４の端部を接続する。コードフック２２１は、図１に示す有線３とチューブ４を掛ける。接合部分２２３，２２４は熱圧着により空気袋１４を形成する。マイクロフォン保持部２２５はそれぞれマイクロフォンＭを保持できる。シートＳＷは４つの折れ線部分２２２の部分で折り曲げることにより、図７に示す形状の空気袋１４を形成できる。
【００３０】
図９は、空気袋１４を形成する工程例を示している。図１０は、空気袋１４の内面が測定者の被測定面ＨＭを当接している様子を示す図である。
図９（Ａ）に示すように、シートＳＷは、折り曲げ線２２６，２２７で折り曲げて，図９（Ｂ）に示すように接合部分２２３，２２４を接合する。そして、図９（Ｃ）に示すように、４つの折れ線部分２２２で折り曲げることで空気袋１４が完成する。この空気袋１４は、４つの側面部２３１，２３２，２３３，２３４を備える。
なお、図８（Ｂ）に示すように、この空気袋１４内には、間隔をおいて３つのスペーサ２４０が配置されている。このスペーサ２４０は、弾性変形可能な直方体形状の部材であり、例えばプラスチックスポンジ等である。これにより、スペーサ２４０が配置されていることで、空気袋１４が必要以上につぶれてしまうのを防止できる。
また、図８（Ｂ）と図１０に示すように、空気袋１４の幅Ｗは、好ましくは１２ｃｍ以上である。空気袋１４の内側が測定者の被測定面ＨＭに対して少なくとも８ｃｍ以上当接していないと正しい血圧測定ができないので、８ｃｍ以上接しているためには、空気袋１４の幅Ｗは１２ｃｍ以上必要である。
【００３１】
次に、図１１は、図１の電子血圧計１のブロック構成図である。
図１１に示す電子血圧計１の回路ブロックを説明する。電子血圧計１の回路ブロックを示している。電子血圧計１の回路ブロックの破線で示すように、血圧計本体１０は、コロトコフ音（Ｋ音）検出システム５０と、加圧システム５１と、排気システム５２と、圧力検出システム５３と、電源システム５４と、音声システム５５と、制御システム５６を有する。
【００３２】
制御システム５６は、表示部３１の駆動部５８と、タイマ５９と、メモリ部６９等を有する。表示部３１の駆動部５８は、表示部３１を駆動制御して表示すべき項目を表示させる。メモリ部６９は、制御システム５６のＣＰＵ（中央処理部）により処理すべきプログラムが記憶されているＲＯＭ（読み出し専用メモリ）である。タイマ５９は、各種の動作の時間のカウントを行う。操作部５７は、制御システム５６に電気的に接続されており、すでに説明した開始／停止ボタン３７と、メモリ呼び出し・時刻・アラーム設定ボタン３８と、モード選択ボタン３９を有している。
【００３３】
図１１のコロトコフ音（Ｋ音）検出システム５０は、腕帯部２の２つのマイクロフォンＭと、Ｋ音検出回路部６０と、ノイズセンサ１５と、ノイズセンサ検出回路部６１を有している。２つのマイクロフォンＭは、Ｋ音検出回路部６０を介して制御システム５６に電気的に接続されている。図１に示すように、２つのマイクロフォンＭは、開口部１６に対して互いに対向した位置（上腕Ｔの動脈に近い位置と遠い位置）に配置されている。
【００３４】
図１１の２つのマイクロフォンＭは、測定者の血流音（血管情報）を検知し、Ｋ音検出回路部６０はこの血流音からＫ音を検出して制御システム５６にＫ音信号を伝える。制御システム５６は、入力されたＫ音信号からコロトコフ音と、このコロトコフ音の発生ポイントと、消滅ポイントを検出する。ノイズセンサ１５は、外部からマイクロフォンＭに入る振動ノイズを検知して、ノイズセンサ検出回路部６１を介して制御システム５６にノイズ信号を送る。これにより、制御システム５６は、Ｋ音信号からノイズを除去することで、Ｋ音検出信号の精度を高めている。
【００３５】
図１１に示す圧力検出システム５３は、配管部６３と、圧力センサ６４と、チューブ４により構成されている。圧力センサ６４は、アンプ、フィルタ、積分Ａ／Ｄ部６５を介して制御システム５６に電気的に接続されている。制御部としての制御システム５６は、Ｋ音信号を検出する。
すなわち、加圧して血管内の血流を止めた後に減圧し、再び血流が流れる時の最初のＫ音信号が検出された時点の圧力を最高血圧値に設定し、更に減圧を続けて血管の管路断面積が十分に拡がり、Ｋ音信号が検出されなくなったら、最後のＫ音信号が検出された時点の圧力を最低血圧値に設定する。また、制御システム５６は、最高血圧値と最低血圧値から得られる血管脈動またはＫ音信号の出現間隔から脈拍数を演算する。
【００３６】
加圧システム５１は、第１ポンプ４４と第２ポンプ４５と、第１ポンプ４４の駆動部６２Ａと、第２ポンプ４５の第２駆動部６２Ｂを有する。制御部としての制御システム５６の指令により、例えば第１駆動部６２Ａは、第１ポンプ４４をＰＷＭ（パルス幅制御）制御により回転数の駆動制御をするとともに、第２駆動部６２Ｂは、第２ポンプ４５をＰＷＭ（パルス幅制御）制御により回転数の駆動制御をすることができる。このように、２つの第１、第２ポンプ４４，４５は、異なる第１、第２駆動部６２Ａ，６２Ｂによりそれぞれ別々に駆動制御できるようになっている。
第１ポンプ４４と第２ポンプ４５は、圧力検出システム５３の配管部６３を通じて腕帯部２の空気袋１４内に接続されている。
電子血圧計１では、腕帯部２内を第１ポンプ４４と第２ポンプ４５で加圧した後、微速度で排気して減圧しつつ圧力センサ６４を用いて腕帯部２の空気袋内の圧力を検出すると同時に、マイクロフォンＭを用いてコロトコフ音（Ｋ音）を検出する。そして、電子血圧計１は、Ｋ音信号と、このＫ音信号の発生ポイントと消滅ポイントを検出することで、最高血圧値と最低血圧値を算出して、算出した最高血圧値と最低血圧値を表示部３１に表示できる。
【００３７】
次に、排気システム５２について説明する。排気システム５２は、２つの駆動部６６，６７と、排気バルブ（強制排気部）４６と、制御バルブ（減圧制御部）４７を有する。排気バルブ４６と制御バルブ４７は配管部６３の途中に配置されている。制御システム５６が駆動部６６に指令をすることで、排気バルブ４６の開閉を行い、制御システム５６が駆動部６７に指令をすることで、制御バルブ４７の開閉を行う。  
【００３８】
電源システム５４は、電池６８と、電源コントロール部６９Ｃと、電源監視部７０を有する。電池６８は、繰り返して充電可能な例えばリチウムイオン電池であるが、特に種類は限定されず、乾電池等でも良い。電池６８の電圧は、電源コントロール部６９Ｃにより制御されて制御システム５６に供給されるとともに、ポンプ４４，４５の駆動電源、音声制御部７１へ供給する電源でもある。電源監視部７０は、電池６８の残量等の監視を行う。また、ＡＣアダプタを用いることで１００Ｖの商用電源を用いることができる。  
【００３９】
音声システム５５は、音声制御部７１と、増幅部７２を有している。音声制御部７１と増幅部７２は、制御システム５６からの指令により制御される。音声制御部７１は、制御システム５６の指令により、音声によるガイダンスデータもしくは音楽データを増幅部７２に送って増幅することで、スピーカ４３は音声によるガイド用のアナウンスと音楽によるガイド用のアナウンスを発生することができる。
【００４０】
次に、上述した電子血圧計１を用いて、血圧測定プログラムの手順に従って、血圧測定を行う例を説明する。
血圧測定プログラムでは、例えば通常モードＭ１、最高血圧モードＭ２、最低血圧モードＭ３を有する。以下に、これらのモードを順番に説明する。
（通常モードＭ１）
図１に示す腕帯部２の本体ケース１１のプレート部材２１０は、すでに説明したように本体ケース１１の軸方向に沿って長くなるように形成されており、腕帯部２は、このプレート部材２１０を用いて、血圧計本体１０のマグネット４０Ｍにより血圧計本体１０の窪み部分４０において磁気的に吸着して結合されている。図３に示すように、測定者は、この腕帯部２を血圧計本体１０の窪み部分４０から、マグネット４０Ｍの磁気的吸引力に抗して持ち上げることで、腕帯部２を血圧計本体１０の窪み部分４０から容易に外すことができる。このように、測定者が血圧測定をする際には、腕帯部２を血圧計本体１０から簡単に取り外すことができる。これにより、血圧計本体１０の設置場所が測定者から離れていても、測定者は座位にて背を伸ばして腹圧の掛からない状態で容易に血圧測定ができる。
【００４１】
好ましくは、このマグネット４０Ｍがプレート部材２１０を磁気的に吸着する力は、例えば血圧計本体１０の重量を超えるように設定することができる。これにより、測定者が電子血圧計１を運ぶ際に血圧計本体１０を持たずに腕帯部２だけを持ち上げてしまった場合に、腕帯部２から血圧計本体１０だけが不用意に落下することを防止できる。
図１に示すように、腕帯部２を血圧計本体１０の窪み部分４０に載置された場合に、開始／停止ボタン３７は腕帯部２の下側に位置しており、測定者が腕帯部２を血圧計本体１０の窪み部分４０から持ち上げて外さないと、開始／停止ボタン３７が外部に露出しないようになっている。これにより、測定者は、腕帯部２を持ち上げて上腕Ｔを通して測定しようとする状態になってから、開始／停止ボタン３７を押すことができるので、測定しない時に不用意に開始／停止ボタン３７を押してしまうといったことが無くなる。
【００４２】
次に、測定者は把持部１１Ｈを把持しながら例えば右の上腕を開口部１１Ｐから開口部１１Ｒにかけて挿入する。測定者が図１に示すモード選択ボタン３９を押して通常モードＭ１を選択した場合には、測定者は図１の開始／停止ボタン３７を押して血圧測定を開始する。図１のポンプ４４，４５が全速力で空気袋１４を昇圧して、２つのマイクロフォンＭが、測定者の血流音（血管情報）を検知して脈が消滅するまで全速力で腕帯部２内の空気袋１４を昇圧する。制御システム５６が脈の消失を判断したら腕帯部２内の昇圧を停止する。
そして、腕帯部２内を少しずつ減圧（例えば２〜５ｍｍＨｇ／秒）していき、最高血圧値と最低血圧値を検出する。最高血圧値と最低血圧値を図１の表示部３１に表示して、ポンプ４４，４５と排気バルブ４６を作動して腕帯部２内の空気袋１４を急排気する。このように、最高血圧値と最低血圧値を表示部３１に表示できた時点で、腕帯部２内の空気袋１４を急排気することで、測定者の上腕に対する圧迫を即座に解消できるので、測定者への負担を軽減できる。
【００４３】
（最高血圧モードＭ２）
また、測定者は把持部１１Ｈを把持しながら例えば右の上腕を開口部１１Ｐから開口部１１Ｒにかけて挿入する。測定者が図１に示すモード選択ボタン３９を押して最高血圧モードＭ２を選択した場合には、測定者は図１の開始／停止ボタン３７を押して血圧測定を開始する。図１のポンプ４４，４５が全速力で空気袋１４を昇圧して、２つのマイクロフォンＭが、測定者の血流音を検知して脈が消滅するまで全速力で腕帯部２内の空気袋１４を昇圧する。制御システム５６が脈の消失を判断したら腕帯部２内の空気袋１４の昇圧を停止する。
【００４４】
そして、少しずつ減圧（例えば２〜５ｍｍＨｇ／秒）していき、図１のスピーカ４３が腕帯部２内の空気袋１４を減圧時のカフ値毎に、例えば１０ｍｍＨｇ毎に圧力値を音声によりアナウンスし、最高血圧値だけを検出する。その後、図１のスピーカ４３は最高血圧値と脈拍数を音声によるガイドでアナウンスして、ポンプ４４，４５と排気バルブ４６を作動して腕帯部２内の空気袋１４を急排気する。これにより、最高血圧値と脈拍数を音声によるガイドでアナウンスしながら腕帯部２内を急排気することで、測定者の上腕に対する圧迫を即座に解消できるので、測定者への負担を軽減できる。
【００４５】
（最低血圧モードＭ３）
また、測定者は把持部１１Ｈを把持しながら例えば右の上腕を開口部１１Ｐから開口部１１Ｒにかけて挿入する。その後、測定者が図１に示すモード選択ボタン３９を押して最低血圧モードＭ３を選択した場合には、測定者は図１の開始／停止ボタン３７を押して血圧測定を開始する。少しずつ昇圧（例えば２〜５ｍｍＨｇ／秒）していき、図１のスピーカ４３が腕帯部２内の空気袋１４を昇圧時のカフ値毎に、例えば１０ｍｍＨｇ毎に圧力値を音声アナウンスし、最低血圧値を検出する。その後、脈が消失したら昇圧を停止して、図３のスピーカ４３が最低血圧値を音声によるガイドでアナウンスをするとともに、ポンプ４４，４５と排気バルブ４６を作動して腕帯部２内の空気袋１４を急排気する。
【００４６】
ところで、通常、第１ポンプ４４と第２ポンプ４５を同じ回転数で駆動したとしても、第１ポンプ４４と第２ポンプ４５の製造時のバラツキから、第１ポンプ４４と第２ポンプ４５間ではわずかな回転数の差が生じることがある。
図１２は、２つのポンプの回転数のわずかな差により生じるビート（うなり）であるポンプ脈動が発生した例を示している。  図１２（Ａ）に示すように、２つの回転数の互いに近い周波数Ｆ１、Ｆ２が合成されると、図１２（Ｂ）に示すように、２つの回転数の差の周波数（極低周波）Ｆ３が現れることになる。例えば、２つのポンプの回転数の差が３％であった場合には、回転数が２６００〜３０００ｒｐｍであると、３０００ｒｐｍ／６０ｓｅｃ＝５０Ｈｚとして、５０Ｈｚ×０．０３＝１．５Ｈｚのビートが発生する。
【００４７】
図１３（Ａ）には、ポンプの脈動ＭＨが，本来必要とする血管の脈波ＷＨに対して重畳している波形例を示している。図１３では、空気袋が測定者の被測定面を加圧する時の空気袋に与えるポンプの脈動ＭＨと、血管が加圧されてつぶれるまでの、すなわち最高血圧までの脈波ＷＨを示している。この際に、血管の脈波ＷＨにポンプの脈動ＭＨが重畳することから、図１３（Ｂ）に示すような本来の脈波の波形ＴＨを得ることができない。すなわち、２つのポンプを駆動して空気袋内に空気を供給して上腕の血管を加圧しようとすると、２つのポンプの間でポンプ脈動が発生して、このポンプ脈動が血管の脈波に重畳してしまい、必要とする正確な血管の脈波が得られず、正確な最高血圧と最低血圧の測定ができないおそれがある。
そこで、本発明の実施形態では、２つのポンプ間でビートが発生しないようにして２つのポンプ間でのポンプ脈動が発生しないようにすることで、２つのポンプを駆動して空気袋内に空気を供給して上腕の血管を加圧しても、正確な血管の脈波を得ることができるように、以下の工夫を施している。
【００４８】
図１４は、第１ポンプ４４と第２ポンプ４５を、第１駆動部６２Ａと第２駆動部６２Ｂにより、それぞれ別々に駆動制御する工程を示すフロー図である。図１５は、空気袋内の圧力と時間の関係を示すカフ内圧曲線ＫＣを示している。
図１４と図１１の電子血圧計１のブロック構成図を参照して、第１ポンプ４４と第２ポンプ４５の駆動制御例を説明する。図１４に示すポンプの駆動制御フローは、ステップＳ１〜ステップＳ８を有する。図１４に示すステップＳ１の血圧測定の区間（１）〜ステップＳ８の血圧測定の区間（８）は、図１５に示すカフ内圧曲線ＫＣにおける血圧測定の区間（１）〜区間（８）に対応している。
【００４９】
図１４のステップＳ１は、図１５に示す血圧測定の区間（１）に対応している。測定者が、図１に示す腕帯部２を血圧計本体１０から取り外して、図１の開始／停止ボタン３７を押す。空気袋１４の加圧開始から４０ｍｍＨｇに達するまでは、図１１に示す第１ポンプ４４と第２ポンプ４５がそれぞれポンプの第１駆動部６２Ａと第２駆動部６２Ｂにより、１００％の出力、すなわち全速（全出力）で空気袋１４内に空気を供給して加圧を開始する。これにより、空気袋１４の内圧の上昇が始まる。
図１１に示す血圧計本体１０に内蔵された圧力センサ６４がこの空気袋１４の内圧を測定する。その後、空気袋１４の内圧が加圧開始から４０ｍｍＨｇになるまで、第１ポンプ４４と第２ポンプ４５は１００％全速（全出力）で空気袋１４の加圧を行う。これにより、第１ポンプと第２ポンプともに全出力で駆動することで、空気袋を加圧開始する際の立ち上がり時間を短縮できる。この加圧の間は、血管内圧の変動による空気袋１４の内圧の微小な変動であるポンプ脈動は観測されない。
【００５０】
ステップＳ２は、図１５に示す血圧測定の区間（２）に対応している。空気袋１４の内圧が４０ｍｍＨｇに達すると、血管の脈波の観測中では、ポンプ４４は１００％全速で空気袋１４に空気を供給する動作を維持するが、ポンプ４５は１００％の出力ではなく、例えば７０％の出力に低下させる。このように、圧力が４０ｍｍＨｇ〜（停止目標圧力―１０ｍｍＨｇ）までの加圧中には、第１ポンプ４４は１００％で全速加圧するが、第２ポンプ４５は７０％で加圧する。
これにより、第１ポンプ４４と第２ポンプ４５の間では、回転数の差が大きいので、ポンプ脈動を発生することがなく、ポンプ脈動（共鳴）の混入していない血管の脈波の測定が可能になる。この血管の脈波は、同じ圧力センサ６４で感知される空気袋１４の内圧信号の微小変化に注目して、信号処理をすることで抽出できる。
図１６には、空気袋の内圧と血管の扁平状態と、検出される脈波の大きさの関係比較を示している。図１６に示すように、血管の脈波は、血管内圧と空気袋の内圧との差の関係から、空気袋１４の内圧（カフ内圧）が最低血圧以下と最高血圧以上では検出されない。
【００５１】
ステップＳ３は、図１５に示す血圧測定の区間（３）に対応しており、図１１の制御システム５６は、観測された脈波より最高血圧を超えた加圧停止圧力（停止目標圧力）を演算して決定する。ここで、血管の脈波と血管内圧および空気袋１４の内圧の差の関係から、血管の脈波の振幅の大きさの変化を観察することで、最高血圧を超えた加圧停止圧力（停止目標圧力）が大まかに推定できる。ちなみに、加圧停止圧力（停止目標圧力）は、最高血圧よりも＋３０ｍｍＨｇ〜＋６０ｍｍＨｇ付近を目標としている。これは、最高血圧を測定するには、＋３０ｍｍＨｇ程度最低限必要であり、かつ測定者に負担をかけないように、＋６０ｍｍＨｇ以上は上げないようにするためである。区間（３）の地点は、脈波が最大振幅を示した後、徐々に振幅が減少し、あと何ｍｍＨｇ加圧すると、脈波が観測されなくなるか推定できるポイントである。
【００５２】
ステップＳ４は、図１５に示す血圧測定の区間（４）に対応している。空気袋１４の内圧が、停止目標圧力に達するまであと１０ｍｍＨｇを残した圧力に到着すると、空気袋内の圧力低下防止のために、第１ポンプ４４を停止するが、第２ポンプ４５の出力を７０％にする。すなわち、（停止目標圧力―１０ｍｍＨｇ）から停止目標圧力までの間、圧力低下防止のため、第１ポンプ４４を停止するが、第２ポンプ４５の出力を７０％に維持する。
上述した推定される加圧停止圧力（停止目標圧力）は、加圧する毎に脈波振幅を観察して更新され、残り１０ｍｍＨｇの地点で第１ポンプ４４を停止し、第２ポンプ４５の出力を７０％にする。これは、加圧用の両方のポンプ４４，４５を停止目標圧力で一気に停止すると、圧力センサ付近と空気袋の内圧との圧力差から、空気袋の内圧が大きく低下するためである。これにより、空気袋の圧力の急激な低下を起こすことなく、停止目標圧力にスムーズに達することができる。
【００５３】
ステップＳ５は、図１５に示す血圧測定の区間（５）に対応している。停止目標圧力に到達し、加圧停止をし、しかも減圧を開始して、マイクロフォンＭを用いてＫ音による血圧測定を開始する。
ステップＳ６は、図１５に示す血圧測定の区間（６）に対応しており、マイクロフォンＭを用いてＫ音を検出して最高血圧を測定する。
ステップＳ７は、図１５に示す血圧測定の区間（７）に対応しており、マイクロフォンＭを用いてＫ音消失の際の最低血圧を測定後、空気袋１４内の空気を急速排気して、血圧測定を終了する。
ステップＳ８は、図１５に示す血圧測定の区間（８）に対応しており、２０ｍｍＨｇ以下に到達したら、血圧測定結果を図１に示す表示部３１に表示できる。
【００５４】
ところで、第２ポンプ４５は、上述した駆動制御例ではステップＳ２において、好ましくは７０％に出力を落として空気袋に対して加圧している。しかし、第２ポンプ４５の出力の低下値は７０％に限らず、６０％〜８０％の間にあれば良い。もし、第２ポンプ４５の出力が６０％未満であると、第２ポンプ４５が低速回転になって、図１１に示す電池６８をかえって消耗させることになるばかりでなく、空気袋に空気を十分に送れなくなり空気袋は測定者の被測定面に必要な加圧ができなくなるおそれがあるので好ましくない。また、第２ポンプ４５の出力が８０％を超えると、第１ポンプ４４と第２ポンプ４５の間でビートが発生するおそれがあるので好ましくはない。
【００５５】
ところで、図１に示す電子血圧計１では、測定者が血圧計本体１から腕帯部２を取り外して、血圧計本体１０の開始／停止ボタン３７をある一定時間以上長押しすることで、マニュアルで長押しモードを設定することができる。すなわち、図１１の開始／停止ボタン３７をある一定時間以上長押しされると、図１１の制御システム５６は、ポンプ駆動部６２Ａ，６２Ｂに指令を与えることで、開始／停止ボタン３７を押している間だけ、ポンプ４４，４５から空気袋１４に対してマニュアルで空気の供給を行うことができる。このマニュアルで長押しモードを選択すると、図１に示す表示部３１にはその旨を表示でき、および／またはスピーカ４３により音声で報知できる。
【００５６】
このように測定者がマニュアルで空気袋１４に空気を送って被測定面を加圧する場合としては、例えば測定者が自身の最高血圧値をある程度認識しており、その認識している最高血圧値が一例として１３０ｍｍＨｇであったとすると、自動で加圧する場合には１８０ｍｍＨｇまで上がってしまうのを例えば１５０ｍｍＨｇまでマニュアル操作で加圧すれば最高血圧値を測定できる。このようにすることで、測定者が予め最高血圧値をある程度把握している場合には、測定者がマニュアル操作でその把握している最高血圧値を少し上回る血圧値になるように空気袋に空気を供給してから徐々に空気を減らしていけばよいので、上腕を強く圧迫する必要がなくなり、使用勝手が向上する。
本発明の各実施形態の電子血圧計では、２つのポンプを駆動して空気袋内に空気を供給して上腕の血管を加圧しても、正確な血管の脈波を得ることができる。本発明の各実施形態の電子血圧計では、測定しようとする時には腕帯部が血圧計本体から簡単に取り外しできるようにする一方、血圧測定をしない時には腕帯部が血圧計本体から脱落しないように固定できる。このため、測定者は電子血圧計を用いて血圧測定をする際に使用勝手を向上できる。
【００５７】
ところで、本発明は上記実施形態に限定されず、種々の変形例を採用することができる。例えば、図示例では、把持部１１Ｈはほぼ扇型であるが、これに限らず任意の形状を採用できる。表示部３１は、例えば液晶表示装置の他に、有機ＥＬ装置、蛍光表示装置等、特に種類は限定されない。
上述した本発明の実施形態では、電子血圧計は、血圧測定方式としてリバロッチ・コロトコフ法が用いられ、コロトコフ音（Ｋ音）を検出して血圧測定を行うようになっているが、圧脈波（オシロメトリック法）等の他の血圧測定方式を採用しても良い。
【符号の説明】
【００５８】
１・・・電子血圧計、２・・・腕帯部、１０・・・血圧計本体、１１・・・本体ケース（硬質の筒体の一例）、・・・、１１Ｐ、１１Ｒ・・・開口部、１６・・・外布、１７Ｃ・・・内布カバー、３１・・・表示部、３７・・・測定の開始／停止ボタン（測定開始操作部の一例、固定手段を構成）、３９・・・モード選択ボタン、４０・・・窪み部分、４０Ｍ・・・マグネット、４３・・・スピーカ、４４・・・第１ポンプ、４５・・・第２ポンプ、５０・・・コロトコフ音（Ｋ音）検出システム、５１・・・加圧システム、５２・・・排気システム、５６・・・制御システム（制御部）、６２Ａ・・・第１ポンプ用の第１駆動部、６２Ｂ・・・第２ポンプ用の第２駆動部、  
【図１】
0005469977.tif 000002
【図２】
0005469977.tif 000003
【図３】
0005469977.tif 000004
【図４】
0005469977.tif 000005
【図５】
0005469977.tif 000006
【図６】
0005469977.tif 000007
【図７】
0005469977.tif 000008
【図８】
0005469977.tif 000009
【図９】
0005469977.tif 000010
【図１０】
0005469977.tif 000011
【図１１】
0005469977.tif 000012
【図１２】
0005469977.tif 000013
【図１３】
0005469977.tif 000014
【図１４】
0005469977.tif 000015
【図１５】
0005469977.tif 000016
【図１６】
0005469977.tif 000017